(57)【特許請求の範囲】
【請求項１】
胴部２上端部を小径部２ａとし、かつ該小径部上端から斜め下内方へ突設した弾性肩部４内周縁から口頸部５を上記胴部２と略同じ高さに起立した容器本体１と、上記口頸部５上面を閉塞する頂壁８の中央部下面から垂設する内筒部９を上記口頸部５外面へ嵌合させると共に、頂壁８周縁から垂設した外筒部10を上記小径部２ａ外面へ凹凸の嵌合手段で抜け出し不能に嵌着させ、また、上記外筒部10上端と内筒部９上端との間の頂壁部分に周設した第１破断線11の一部から、該第１破断線外方の頂壁部分を通って外筒部10下端へ達する第２破断線12を延長形成し、更に、該第２破断線に近接させて摘み部14を外筒部10外面に付設した封緘部材７とからなり、上記第１, 第２破断線11, 12を破断させて第１破断線11外方の頂壁部分および外筒部10を取り除いた状態で、上記弾性肩部４を上方へ弾性反転させることが可能に形成したことを特徴とする合成樹脂製容器。
【発明の詳細な説明】
【０００１】
【産業上の利用分野】
本発明は、クリーム状物、液体等を収納する合成樹脂製容器に係る。
【０００２】
【従来の技術】
【発明が解決しようとする課題】
この種容器として、胴部上端から起立する口頸部の上面へシール板を剥離可能に貼着させ、かつ口頸部外面へキャップの周壁を螺合させた容器が知られている。
【０００３】
上記従来容器は、商品流通過程で悪戯によりキャップが外され、かつシール板が剥離されても、キャップを容器本体口頸部へ再び螺合させると、容器が不法に開蓋されたことが外部から認識できない欠点があり、また、広口容器を除いて、キャップ頂壁の径が容器底壁に比して小径であるため、複数の容器を積み重ねることが困難であり、店頭に展示する際に不便であった。
【０００４】
本発明は、容器本体の肩部を斜め下内方へ突設し、また、キャップの頂壁を外方へ延長形成して、該頂壁周縁から垂設した外筒部を容器本体の胴部上端部外面へ抜け出し不能に嵌着させ、かつキャップの頂壁および外筒部に破断線を形成することで、不法開蓋を確実に防止でき、またキャップの頂壁上面に容器を容易に積み重ねできるよう設けた。
【０００５】
【課題を解決するための手段】
胴部２上端部を小径部２ａとし、かつ該小径部上端から斜め下内方へ突設した弾性肩部４内周縁から口頸部５を上記胴部２と略同じ高さに起立した容器本体１と、上記口頸部５上面を閉塞する頂壁８の中央部下面から垂設する内筒部９を上記口頸部５外面へ嵌合させると共に、頂壁８周縁から垂設した外筒部10を上記小径部２ａ外面へ凹凸の嵌合手段で抜け出し不能に嵌着させ、また、上記外筒部10上端と内筒部９上端との間の頂壁部分に周設した第１破断線11の一部から、該第１破断線外方の頂壁部分を通って外筒部10下端へ達する第２破断線12を延長形成し、更に、該第２破断線に近接させて摘み部14を外筒部10外面に付設した封緘部材７とからなり、上記第１, 第２破断線11, 12を破断させて第１破断線11外方の頂壁部分および外筒部10を取り除いた状態で、上記弾性肩部４を上方へ弾性反転させることが可能に形成した。
【０００６】
【作用】
図１，図２が示す状態から、封緘部材７の摘み部14を用いて第２破断線12および第１破断線11を破断させて、該第１破断線外方の封緘部材外方部分７ａを取り除き、かつ破断前に第１破断線11が囲んでいた封緘部材内方部分７ｂ外周部を上方へ持ち上げ、或いは容器本体１胴部２を弾性圧搾することによって、図３が示すように容器本体１の弾性肩部４を上方へ弾性反転させ、かつ上記封緘部材７の内筒部９を容器本体１口頸部５から螺脱させて収納物を吐出させ、使用後容器本体１の小径部２ａ外面へ内筒部９を螺合させ、上記封緘部材内方部分７ｂをキャップとして使用する。
【０００７】
【実施例】
１は容器本体であり、該容器本体は、図示しない底壁周縁から起立する胴部２の上端部を小径部２ａとして、該小径部の上端部外面に係合突部３を周設し、また、その小径部２ａ上端から弾性肩部４を斜め下内方へ突設し、かつ該弾性肩部内周縁から口頸部５を上記胴部２と略同じ高さに起立している。図示例では、小径部２ａ下端から上向き段部を介して垂設した短周壁を、別途形成した筒体の上端部外面に嵌着させている。尚、上記弾性肩部４については封緘部材７との関係で後述する。
【０００８】
７は封緘部材であり、該封緘部材は、上記容器本体１の口頸部５上面を閉塞する頂壁８の中央部下面から内筒部９を垂設して、該内筒部を上記口頸部５外面へ螺合させると共に、上記容器本体１の小径部２ａ外面へ頂壁８周縁から垂設した外筒部10を嵌合させ、かつ該外筒部の上部内面に設けた係合溝部内へ既述係合突部３を離脱不能に係止させ、また、上記容器本体１の小径部２ａ上端直ぐ内方の頂壁部分に周設した第１破断線11の一部から、該第１破断線外方の頂壁部分を通って外筒部10下端へ達する第２破断線12を延長形成し、更に、該第２破断線に近接させて摘み部14を外筒部10外面に付設している。図示例では、それ等第１, 第２破断線11, 12を、切離し線を複数箇所で破断片13により結合させることで形成している。また更に、既述弾性肩部４は、上記第１, 第２破断線11, 12を破断させて、第１破断線11外方の封緘部材外方部分７ａを取り除いた状態で上方へ弾性反転させることが可能に形成している。
【０００９】
本発明容器の組み立ては以下のように行えばよい。即ち、図１が二点鎖線で示すように、容器本体１の弾性肩部４を斜め上内方へ起立させた状態で、容器本体１の口頸部５外面へ封緘部材７の内筒部９を螺合させ、次いで、封緘部材７および口頸部５を介して弾性肩部４を押下げることで該弾性肩部を斜め下内方へ弾性反転させ、かつ容器本体１の小径部２ａ外面へ封緘部材７の外筒部10を強制嵌合させる。
【００１０】
上記実施例では、容器本体１の小径部２ａ上端直ぐ内方の頂壁部分に第１破断線11を周設したから、該第１破断線が囲む頂壁部分が広く、よって、第１破断線11が囲む封緘部材内方部分７ｂを破断後にキャップとして使用する際に持ち易い利点がある。
【００１１】
尚上記各部材は合成樹脂材により適宜成形するものとする。
【００１２】
【発明の効果】
本発明は上記構成とするものであり、封緘部材７の頂壁８周縁から垂設する外筒部10を容器本体１の小径部２ａ外面へ凹凸の嵌合手段で抜け出し不能に嵌着させたから、商品流通過程での不法開蓋を確実に防止できる。また、封緘部材７の外筒部10上端と内筒部９上端との間の頂壁部分に周設した第１破断線11の一部から、該第１破断線外方の頂壁部分を通って外筒部10下端へ達する第２破断線12を延長形成したから、それ等第１, 第２破断線11, 12を破断させることによって、第１破断線11外方の封緘部材部分を容易に取り除くことができると共に、第１破断線11が囲む封緘部材部分をキャップとして使用することができ、よって、キャップを別途に形成する場合に比べて構造が簡易で廉価に作製することができる。更に、容器本体１の小径部２ａ上端から弾性肩部４を斜め下内方へ突設し、かつ封緘部材７の頂壁８周縁から垂設した外筒部10を容器本体１の小径部２ａ外面へ嵌合させたから、封緘部材７の頂壁８上面を利用して複数容器を積み重ねることができ店頭に展示する際に好都合である。
【図面の簡単な説明】
【図１】  本発明合成樹脂製容器の一実施例を一部切欠いて示す側面図である。
【図２】  同実施例要部の斜視図である。
【図３】  封緘部材の一部を取り除いた状態での同実施例要部の斜視図である。
【符号の説明】
１…容器本体  ７…封緘部材
【図１】
0003655348.tif 000002
【図２】
0003655348.tif 000003
【図３】
0003655348.tif 000004